(57)【要約】  第２の無線アクセス技術（ＲＡＴ）ネットワークへのハンドオーバが取り消されたとき、第１のＲＡＴネットワークに容易に迅速に復帰するための方法および装置を提供する。本方法および装置は、移動局（ＭＳ）が、第２のＲＡＴネットワークへのハンドオーバを完了する前にアイドルモードに入り、ＭＳサービスおよび動作情報、ならびにサービスフロー状態情報を保持するようにサービング基地局（ＢＳ）に要求することを含む。このようにして、第２のＲＡＴネットワークへのハンドオーバが完了前に取り消されたならば、保持されたＭＳ情報を使用して第１のＲＡＴネットワークへのリエントリを迅速に実行することができる。
2011520401.tif 000002
【特許請求の範囲】
【請求項１】
第１の無線アクセス技術（ＲＡＴ）および第２の無線アクセス技術（ＲＡＴ）を介するネットワークサービス間のハンドオーバを実行するための方法であって、
前記第１のＲＡＴを介して通信することと、
前記第２のＲＡＴを介するネットワークサービスへのハンドオーバをトリガすることと、前記第１のＲＡＴと前記第２のＲＡＴとは異なり、
前記第２のＲＡＴを介するネットワークサービスへの前記ハンドオーバを完了する前にアイドルモードに入ることと
を備える方法。
【請求項２】
前記アイドルモードに入る前に、移動局（ＭＳ）情報を保持するように前記第１のＲＡＴを介するネットワークサービスに要求することをさらに備える、請求項１に記載の方法。
【請求項３】
前記ＭＳ情報が、サービス情報、動作情報、またはサービスフロー状態情報のうちの少なくとも１つを備える、請求項２に記載の方法。
【請求項４】
前記ハンドオーバを完了する前に前記第２のＲＡＴを介するネットワークサービスへの前記ハンドオーバを取り消すことと、
前記保持されたＭＳ情報を受信することと、
前記第１のＲＡＴによる通信を復元するために前記受信した保持されたＭＳ情報を使用してネットワークリエントリを実行することと
をさらに備える、請求項２に記載の方法。
【請求項５】
前記アイドルモードに入ることが、前記ハンドオーバ中に前記第２のＲＡＴを介するネットワークサービスにアクセスする前に前記アイドルモードに入ることを備える、請求項１に記載の方法。
【請求項６】
前記アイドルモードに入る前に、ページングメッセージを送信する間の期間を増加させるように、前記第１のＲＡＴを介するネットワークサービスに要求することをさらに備える、請求項１に記載の方法。
【請求項７】
前記ページングメッセージを送信する間の前記期間を増加させるように前記第１のＲＡＴを介するネットワークサービスに要求することが、
登録解除要求（ＤＲＥＧ−ＲＥＱ）メッセージのページングサイクル要求フィールド中にページングサイクル値を設定することと、
前記ＤＲＥＧ−ＲＥＱメッセージを送信することと
を備える、請求項６に記載の方法。
【請求項８】
前記ページングサイクル値を設定することが、
前記第１のＲＡＴを介するネットワークサービスに復帰するための最大時間と、前記第１のＲＡＴを介するネットワークサービスのためのページング再試行数とを判断することと、
復帰するための前記最大時間を前記ページング再試行数−１で除算することによって最小ページングサイクル値を計算することと、
前記最小ページングサイクル値よりも大きいかまたはそれに等しくなるように前記ページングサイクル値を設定することと
を備える、請求項７に記載の方法。
【請求項９】
第１の無線アクセス技術（ＲＡＴ）および第２の無線アクセス技術（ＲＡＴ）を介するネットワークサービス間のハンドオーバを実行するための装置であって、
前記第１のＲＡＴを介して通信する手段と、
前記第２のＲＡＴを介するネットワークサービスへのハンドオーバをトリガするための手段と、前記第１のＲＡＴと前記第２のＲＡＴとは異なり、
前記第２のＲＡＴを介するネットワークサービスへの前記ハンドオーバを完了する前にアイドルモードに入るための手段と
を備える装置。
【請求項１０】
前記アイドルモードに入る前に、移動局（ＭＳ）情報を保持するように前記第１のＲＡＴを介するネットワークサービスに要求するための手段をさらに備える、請求項９に記載の装置。
【請求項１１】
前記ＭＳ情報が、サービス情報、動作情報、またはサービスフロー状態情報のうちの少なくとも１つを備える、請求項１０に記載の装置。
【請求項１２】
前記ハンドオーバを完了する前に前記第２のＲＡＴを介するネットワークサービスへの前記ハンドオーバを取り消すための手段と、
前記保持されたＭＳ情報を受信するための手段と、
前記第１のＲＡＴを介する通信を復元するために前記受信した保持されたＭＳ情報を使用してネットワークリエントリを実行するための手段と
をさらに備える、請求項１０に記載の装置。
【請求項１３】
前記アイドルモードに入るための前記手段が、前記ハンドオーバ中に前記第２のＲＡＴを介するネットワークサービスにアクセスする前に前記アイドルモードに入るための手段を備える、請求項９に記載の装置。
【請求項１４】
前記アイドルモードに入る前に、ページングメッセージを送信する間の期間を増加させるように、前記第１のＲＡＴを介するネットワークサービスに要求するための手段をさらに備える、請求項９に記載の装置。
【請求項１５】
前記ページングメッセージを送信する間の前記期間を増加させるように前記第１のＲＡＴを介するネットワークサービスに要求するための前記手段が、
登録解除要求（ＤＲＥＧ−ＲＥＱ）メッセージのページングサイクル要求フィールド中にページングサイクル値を設定するための手段と、
前記ＤＲＥＧ−ＲＥＱメッセージを送信ための手段と
を備える、請求項１４に記載の装置。
【請求項１６】
前記ページングサイクル値を設定するための前記手段が、
前記第１のＲＡＴを介するネットワークサービスに復帰するための最大時間と、前記第１のＲＡＴを介するネットワークサービスのためのページング再試行数とを判断するための手段と、
復帰するための前記最大時間を前記ページング再試行数−１で除算することによって最小ページングサイクル値を計算するための手段と、
前記最小ページングサイクル値よりも大きいかまたはそれに等しくなるように前記ページングサイクル値を設定するための手段と
を備える、請求項１５に記載の装置。
【請求項１７】
第１の無線アクセス技術（ＲＡＴ）および第２の無線アクセス技術（ＲＡＴ）を介するネットワークサービス間のハンドオーバを実行するための装置であって、
前記第１のＲＡＴを介する通信するための論理と、
前記第２のＲＡＴを介するネットワークサービスへのハンドオーバをトリガするための論理と、前記第１のＲＡＴと前記第２のＲＡＴとは異なり、
前記第２のＲＡＴを介するネットワークサービスへの前記ハンドオーバを完了する前にアイドルモードに入るための論理と
を備える装置。
【請求項１８】
前記アイドルモードに入る前に、移動局（ＭＳ）情報を保持するように前記第１のＲＡＴを介するネットワークサービスに要求するための論理をさらに備える、請求項１７に記載の装置。
【請求項１９】
前記ＭＳ情報が、サービス情報、動作情報、またはサービスフロー状態情報のうちの少なくとも１つを備える、請求項１８に記載の装置。
【請求項２０】
前記ハンドオーバを完了する前に前記第２のＲＡＴを介するネットワークサービスへの前記ハンドオーバを取り消すための論理と、
前記保持されたＭＳ情報を受信するように構成された受信機と、
前記第１のＲＡＴを介する通信を復元するために前記受信した保持されたＭＳ情報を使用してネットワークリエントリを実行するための論理と
をさらに備える、請求項１８に記載の装置。
【請求項２１】
前記アイドルモードに入るための前記論理が、前記ハンドオーバ中に前記第２のＲＡＴを介するネットワークサービスにアクセスする前に前記アイドルモードに入るための論理を備える、請求項１７に記載の装置。
【請求項２２】
前記アイドルモードに入る前に、ページングメッセージを送信する間の期間を増加させるように、前記第１のＲＡＴを介するネットワークサービスに要求するための論理をさらに備える、請求項１７に記載の装置。
【請求項２３】
前記ページングメッセージを送信する間の前記期間を増加させるように前記第１のＲＡＴを介するネットワークサービスに要求するための前記論理が、
登録解除要求（ＤＲＥＧ−ＲＥＱ）メッセージのページングサイクル要求フィールド中にページングサイクル値を設定するための論理と、
前記ＤＲＥＧ−ＲＥＱメッセージを送信するように構成された送信機と
を備える、請求項２２に記載の装置。
【請求項２４】
前記ページングサイクル値を設定するための前記論理が、
前記第１のＲＡＴを介するネットワークサービスに復帰するための最大時間と、前記第１のＲＡＴを介するネットワークサービスのためのページング再試行数とを判断するための論理と、
復帰するための前記最大時間を前記ページング再試行数−１で除算することによって最小ページングサイクル値を計算するための論理と、
前記最小ページングサイクル値よりも大きいかまたはそれに等しくなるように前記ページングサイクル値を設定するための論理と
を備える、請求項２３に記載の装置。
【請求項２５】
第１の無線アクセス技術（ＲＡＴ）および第２の無線アクセス技術（ＲＡＴ）を介するネットワークサービス間のハンドオーバを実行するためのコンピュータプログラム製品であって、１つまたは複数のプロセッサによって実行可能な命令を記憶したコンピュータ可読媒体を備え、前記命令が、
前記第１のＲＡＴを介する通信するための命令と、
前記第２のＲＡＴを介するネットワークサービスへのハンドオーバをトリガするための命令と、前記第１のＲＡＴと前記第２のＲＡＴとは異なり、
前記第２のＲＡＴを介するネットワークサービスへの前記ハンドオーバを完了する前にアイドルモードに入るための命令と
を備える、コンピュータプログラム製品。
【請求項２６】
前記アイドルモードに入る前に、移動局（ＭＳ）情報を保持するように前記第１のＲＡＴを介するネットワークサービスに要求するための命令をさらに備える、請求項２５に記載のコンピュータプログラム製品。
【請求項２７】
前記ＭＳ情報が、サービス情報、動作情報、またはサービスフロー状態情報のうちの少なくとも１つを備える、請求項２６に記載のコンピュータプログラム製品。
【請求項２８】
前記ハンドオーバを完了する前に前記第２のＲＡＴを介するネットワークサービスへの前記ハンドオーバを取り消すための命令と、
前記保持されたＭＳ情報を受信するための命令と、
前記第１のＲＡＴによる通信を復元するために前記受信した保持されたＭＳ情報を使用してネットワークリエントリを実行するための命令と
をさらに備える、請求項２６に記載のコンピュータプログラム製品。
【請求項２９】
前記アイドルモードに入るための前記命令が、前記ハンドオーバ中に前記第２のＲＡＴを介するネットワークサービスにアクセスする前に前記アイドルモードに入るための命令を備える、請求項２５に記載のコンピュータプログラム製品。
【請求項３０】
前記アイドルモードに入る前に、ページングメッセージを送信する間の期間を増加させるように、前記第１のＲＡＴを介するネットワークサービスに要求するための命令をさらに備える、請求項２５に記載のコンピュータプログラム製品。
【請求項３１】
前記ページングメッセージを送信する間の前記期間を増加させるように前記第１のＲＡＴを介するネットワークサービスに要求するための前記命令が、
登録解除要求（ＤＲＥＧ−ＲＥＱ）メッセージのページングサイクル要求フィールド中にページングサイクル値を設定するための命令と、
前記ＤＲＥＧ−ＲＥＱメッセージを送信するための命令と
を備える、請求項３０に記載のコンピュータプログラム製品。
【請求項３２】
前記ページングサイクル値を設定するための前記命令が、
前記第１のＲＡＴを介するネットワークサービスに復帰するための最大時間と、前記第１のＲＡＴを介するネットワークサービスのためのページング再試行数とを判断するための命令と、
復帰するための前記最大時間を前記ページング再試行数−１で除算することによって最小ページングサイクル値を計算するための命令と、
前記最小ページングサイクル値よりも大きいかまたはそれに等しくなるように前記ページングサイクル値を設定するための命令と
を備える、請求項３１に記載のコンピュータプログラム製品。
【発明の詳細な説明】
【技術分野】
【０００１】
優先権の主張
本出願は、２００８年９月１７日に出願された「Systems and methods for multimode wireless communication handoff」と題する米国特許出願第１２／２１２，５２６号の一部継続出願であり、その優先権の利益を主張する。米国特許出願第１２／２１２，５２６号は、２００８年５月１１日に出願された「Systems and Methods for Multimode Wireless Communication Handoff」と題する米国仮特許出願第６１／０５２，２６５号、および同じく２００８年５月１１日に出願された同じく「Systems and Methods for Multimode Wireless Communication Handoff」と題する米国仮特許出願第６１／０５２，２６６号の優先権の利益を主張する、２００８年７月１８日に出願された「Systems and Methods for Multimode Wireless Communication Handoff」と題する米国特許出願第１２／１７６，３０４号の一部継続出願であり、その優先権の利益を主張する。米国特許出願第１２／２１２，５２６号はまた、２００８年５月１１日に出願された「Systems and Methods for Multimode Wireless Communication Handoff」と題する米国仮特許出願第６１／０５２，２５９号、および同じく２００８年５月１１日に出願された同じく「Systems and Methods for Multimode Wireless Communication Handoff」と題する米国仮特許出願第６１／０５２，２６０号の優先権の利益を主張する。上記の優先権出願はすべて、本出願の譲受人に譲渡され、すべての目的のために参照により本明細書に完全に組み込まれる。
【０００２】
本開示のいくつかの実施形態は、一般にワイヤレス通信に関し、より詳細には、ある無線アクセス技術（ＲＡＴ）ネットワークから別の異なるＲＡＴネットワークへ、およびその逆への移動局（ＭＳ）のハンドオーバに関する。
【発明の概要】
【０００３】
本開示のいくつかの実施形態は、一般にＷｉＭＡＸネットワークからＣＤＭＡネットワークへなど、ある無線アクセス技術（ＲＡＴ）ネットワークから別の異なるＲＡＴネットワークへ、およびその逆への移動局（ＭＳ）のハンドオーバを実行することに関する。
【０００４】
本開示のいくつかの実施形態は、第１のＲＡＴおよび第２のＲＡＴを介するネットワークサービス間のハンドオーバを実行するための方法であって、第１のＲＡＴと第２のＲＡＴとが異なる、方法を提供する。本方法は一般に、第１のＲＡＴを介する通信することと、第２のＲＡＴを介するネットワークサービスへのハンドオーバをトリガすることと、第２のＲＡＴを介するネットワークサービスへのハンドオーバを完了する前にアイドルモードに入ることとを含む。
【０００５】
本開示のいくつかの実施形態は、第１のＲＡＴおよび第２のＲＡＴを介するネットワークサービス間のハンドオーバを実行するための装置であって、第１のＲＡＴと第２のＲＡＴとが異なる、装置を提供する。本装置は一般に、第１のＲＡＴを介する通信するための手段と、第２のＲＡＴを介するネットワークサービスへのハンドオーバをトリガするための手段と、第２のＲＡＴを介するネットワークサービスへのハンドオーバを完了する前にアイドルモードに入るための手段とを含む。
【０００６】
本開示のいくつかの実施形態は、第１のＲＡＴおよび第２のＲＡＴを介するネットワークサービス間のハンドオーバを実行するための装置であって、第１のＲＡＴと第２のＲＡＴとが異なる、装置を提供する。本装置は一般に、第１のＲＡＴを介する通信するための論理と、第２のＲＡＴを介するネットワークサービスへのハンドオーバをトリガするための論理と、第２のＲＡＴを介するネットワークサービスへのハンドオーバを完了する前にアイドルモードに入るための論理とを含む。
【０００７】
本開示のいくつかの実施形態は、第１のＲＡＴおよび第２のＲＡＴを介するネットワークサービス間のハンドオーバを実行するためのコンピュータプログラム製品であって、第１のＲＡＴと第２のＲＡＴとが異なる、コンピュータプログラム製品を提供する。コンピュータプログラム製品は一般に、１つまたは複数のプロセッサによって実行可能な命令を記憶したコンピュータ可読媒体を含む。本命令は一般に、第１のＲＡＴを介する通信するための命令と、第２のＲＡＴを介するネットワークサービスへのハンドオーバをトリガするための命令と、第２のＲＡＴを介するネットワークサービスへのハンドオーバを完了する前にアイドルモードに入るための命令とを含む。
【０００８】
本開示の上述の特徴を詳細に理解することができるように、その一部を添付の図面に示す実施形態を参照することによって、上記で簡単に要約したより具体的な説明を得ることができる。ただし、添付の図面は、本開示のいくつかの典型的な実施形態のみを示し、したがって、説明は他の等しく有効な実施形態に通じるので、その範囲を限定するものと見なされるべきではないことに留意されたい。
【図面の簡単な説明】
【０００９】
【図１】本開示のいくつかの実施形態による、例示的なワイヤレス通信システムを示す図。
【図２】本開示のいくつかの実施形態による、ワイヤレスデバイスにおいて利用できる様々な構成要素を示す図。
【図３】本開示のいくつかの実施形態による、直交周波数分割多重および直交周波数分割多元接続（ＯＦＤＭ／ＯＦＤＭＡ）技術を利用するワイヤレス通信システム内で使用できる例示的な送信機と例示的な受信機とを示す図。
【図４Ａ】本開示のいくつかの実施形態による、デュアルモード移動局（ＭＳ）がＷｉＭＡＸ無線アクセスネットワークのカバレージの外側に移動し、ＣＤＭＡ  ＥＶＤＯ／１ｘネットワークのカバレージに入ることができるモビリティシナリオを示す図。
【図４Ｂ】本開示のいくつかの実施形態による、デュアルモードＭＳがＣＤＭＡ  ＥＶＤＯ無線アクセスネットワークのカバレージの外側に移動し、ＷｉＭＡＸネットワークのカバレージに入ることができるモビリティシナリオを示す図。
【図５】本開示のいくつかの実施形態による、ＷｉＭＡＸネットワークからＣＤＭＡ  ＥＶＤＯ／１ｘネットワークへのデュアルモードＭＳの自律ハンドオーバを実行するための例示的な動作のフローチャート。
【図５Ａ】本開示のいくつかの実施形態による、ＷｉＭＡＸネットワークからＣＤＭＡ  ＥＶＤＯ／１ｘネットワークへの自律ハンドオーバを実行するための図５の例示的な動作に対応する手段のブロック図。
【図６】本開示のいくつかの実施形態による、インタリーブ間隔中にＷｉＭＡＸネットワークサービスを使用して通信しているＭＳによって要求される例示的なＣＤＭＡ走査間隔を示す図。
【図７】本開示のいくつかの実施形態による、ＷｉＭＡＸ基地局からＣＤＭＡ  ＥＶＤＯ／１ｘ基地局へのＭＳ自律ハンドオーバを実行するための例示的な動作のコールフローを示す図。
【図８】本開示のいくつかの実施形態による、ＣＤＭＡ  ＥＶＤＯネットワークからＷｉＭＡＸネットワークへのデュアルモードＭＳの自律ハンドオーバを実行するための例示的な動作のフローチャート。
【図８Ａ】本開示のいくつかの実施形態による、ＣＤＭＡ  ＥＶＤＯネットワークからＷｉＭＡＸネットワークへの自律ハンドオーバを実行するための図８の例示的な動作に対応する手段のブロック図。
【図９】本開示のいくつかの実施形態による、ＣＤＭＡ  ＥＶＤＯ基地局からＷｉＭＡＸ基地局へのＭＳ自律ハンドオーバを実行するための例示的な動作のコールフローを示す図。
【図１０】本開示のいくつかの実施形態による、第２の無線アクセス技術（ＲＡＴ）ネットワークへのハンドオーバが取り消されたとき、第１のＲＡＴネットワークに容易に迅速に復帰するための例示的な動作を示す図。
【図１０Ａ】本開示のいくつかの実施形態による、第２のＲＡＴネットワークへのハンドオーバが取り消されたとき、第１のＲＡＴネットワークに容易に迅速に復帰するための図１０の例示的な動作に対応する手段のブロック図。
【図１１】本開示のいくつかの実施形態による、ターゲットＲＡＴネットワークにハンドオーバアクセスする前にサービングＲＡＴネットワークにおいてアイドルモードに入ることを含む、インターＲＡＴハンドオーバを開始するための例示的な動作のコールフローを示す図。
【図１２】本開示のいくつかの実施形態による、インターＲＡＴハンドオーバ中にアイドルモードのためのページングサイクルを判断することを示す図。
【図１３】本開示のいくつかの実施形態による、第２のＲＡＴへのインターＲＡＴハンドオーバを取り消し、保持された情報を復元することによって第１のＲＡＴネットワークに容易に迅速に復帰するための例示的な動作のコールフローを示す図。
【発明を実施するための形態】
【００１０】
ＩＥＥＥ８０２．１６に基づく直交周波数分割多重（ＯＦＤＭ）および直交周波数分割多元接続（ＯＦＤＭＡ）ワイヤレス通信システムは、複数のサブキャリアの周波数の直交性に基づいて、システムにおいてサービスに登録したワイヤレスデバイス（すなわち、移動局）と通信するために基地局のネットワークを使用しており、マルチパスフェージングおよび干渉に対する抵抗など、広帯域ワイヤレス通信のためのいくつかの技術的利点を達成するために実装できる。各基地局（ＢＳ）は、移動局との間でデータを搬送する無線周波数（ＲＦ）信号を送り、受信する。移動局（ＭＳ）がある基地局によってカバーされるエリアから離れて、別の基地局によってカバーされるエリアに入るなど、様々な理由で、ある基地局から別の基地局へ通信サービス（たとえば、呼またはデータセッションが継続中（ongoing）を転送するために、ハンドオーバ（ハンドオフとしても知られる）を実行することができる。
【００１１】
３つのハンドオーバ方法、すなわちハードハンドオフ（ＨＨＯ）、高速基地局スイッチング（ＦＢＳＳ）およびマクロダイバーシティハンドオーバ（ＭＤＨＯ）が、ＩＥＥＥ８０２．１６ｅ−２００５においてサポートされている。これらのうちで、ＨＨＯをサポートすることは必須あり、ＦＢＳＳおよびＭＤＨＯは２つの随意の選択肢である。
【００１２】
ＨＨＯは、あるＢＳから別のＢＳへの接続の急激な転送を暗示する。ＭＳによって報告された測定結果に基づいて、ＭＳまたはＢＳがハンドオーバ決定を行うことができる。ＭＳは、周期的にＲＦ走査を行い、隣接基地局の信号品質を測定することができる。ハンドオーバ決定は、たとえば、あるセルからの信号強度が現在のセルを超えること、ＭＳのロケーション変更が信号フェージングまたは干渉をもたらすこと、またはＭＳがより高いサービス品質（ＱｏＳ）を要求することから起こる。ＢＳによって割り振られた走査間隔中に走査が実行される。これらの間隔中に、ＭＳはまた、随意に初期レンジングを実行し、１つまたは複数の隣接基地局に関連付けることが可能である。ハンドオーバ決定が行われると、ＭＳはターゲットＢＳのダウンリンク送信との同期を開始し、走査の間に行われなかった場合、レンジングを実行し、次いで、前のＢＳとの接続を終了することができる。タイマが満了するまで、ＢＳにおいて未配信のプロトコルデータユニット（ＰＤＵ）を保持することができる。
【００１３】
ＦＢＳＳがサポートされる場合、ＭＳおよびＢＳはＭＳを有するＦＢＳＳに含まれるＢＳのリストを維持する。このセットはダイバーシティセットと呼ばれる。ＦＢＳＳでは、ＭＳは、ダイバーシティセット中の基地局を連続的に監視する。ダイバーシティセット中のＢＳの中から、アンカーＢＳが定義される。ＦＢＳＳで動作しているときに、ＭＳは、管理およびトラフィック接続を含むアップリンクおよびダウンリンクメッセージについて、アンカーＢＳとのみ通信する。ダイバーシティセット中の別のＢＳが現在のアンカーＢＳよりも良い信号強度を有する場合、あるアンカーＢＳから別のＢＳへの遷移（すなわち、ＢＳスイッチング）を実行することができる。チャネル品質インジケータチャネル（ＣＱＩＣＨ）または明示的ハンドオーバ（ＨＯ）シグナリングメッセージを介してサービングＢＳと通信することによってアンカー更新手順が可能になる。
【００１４】
ダイバーシティセット内で変更することができるアンカーＢＳからデータを受信または送信する、ＭＳによる決定でＦＢＳＳハンドオーバは開始する。ＭＳは、ネイバーＢＳを走査し、ダイバーシティセット中に含めるのに適したネイバーＢＳを選択する。ＭＳは選択したＢＳを報告し、ＢＳおよびＭＳはダイバーシティセットを更新する。ＭＳは、ダイバーシティセット中にあるＢＳの信号強度を連続的に監視することができ、セットから１つのＢＳをアンカーＢＳとして選択する。ＭＳは、選択したアンカーＢＳを、ＣＱＩＣＨまたはＭＳ開始ハンドオーバ要求メッセージで報告する。
【００１５】
ＭＤＨＯをサポートするＭＳおよびＢＳの場合、ＭＳおよびＢＳは、ＭＳを有するＭＤＨＯに含まれるＢＳのダイバーシティセットを維持する。ダイバーシティセット中のＢＳの中から、アンカーＢＳが定義される。正規の動作モードは、単一のＢＳからなるダイバーシティセットを有する特定の場合のＭＤＨＯを参照する。ＭＤＨＯで動作しているとき、ＭＳは、アップリンクおよびダウンリンクユニキャストメッセージおよびトラフィックのダイバーシティセットにおけるすべてのＢＳと通信する。
【００１６】
ＭＳが同じ時間間隔において複数のＢＳからユニキャストメッセージおよびトラフィックを送信または受信することを決定したとき、ＭＤＨＯは開始する。ダウンリンクＭＤＨＯの場合、ＭＳにおいてダイバーシティ合成が実行されるように、２つ以上のＢＳがＭＳダウンリンクデータの同期送信を行う。アップリンクＭＤＨＯの場合、ＭＳからの送信が、複数のＢＳによって受信され、受信された情報の選択ダイバーシティが実行される。
【００１７】
本開示のいくつかの実施形態は、デュアルモード移動局（ＭＳ）の通常動作中のＷｉＭＡＸネットワークとＣＤＭＡ  ＥＶＤＯ／１ｘネットワークとの間の自律ハンドオーバのための方法および装置を提供する。本方法および装置は、ハンドオーバ中のサービス継続性を改善し、ＷｉＭＡＸまたはＣＤＭＡ規格への変更を必要としない。
【００１８】
例示的なワイヤレス通信システム
本開示の方法および装置は、ブロードバンドワイヤレス通信システムにおいて利用できる。「ブロードバンドワイヤレス」という用語は、所与のエリアにわたるワイヤレス、音声、インターネット、および／またはデータネットワークアクセスを与える技術を指す。
【００１９】
Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを表すＷｉＭＡＸは、長距離にわたる高いスループットブロードバンド接続を与える、規格ベースのブロードバンドワイヤレス技術である。現在、ＷｉＭＡＸの２つの主要な適用例、すなわち固定ＷｉＭＡＸとモバイルＷｉＭＡＸとがある。固定ＷｉＭＡＸ適用例は、たとえば、家庭および企業でのブロードバンドアクセスを可能にするポイントツーマルチポイントである。モバイルＷｉＭＡＸは、ブロードバンド速度でのセルラーネットワークのフルモビリティを提供する。
【００２０】
モバイルＷｉＭＡＸは、ＯＦＤＭ（直交周波数分割多重）およびＯＦＤＭＡ（直交周波数分割多元接続）技術に基づく。ＯＦＤＭは、最近、様々な高データレート通信システムに広く採用されているデジタルマルチキャリア変調技法である。ＯＦＤＭでは、送信ビットストリームは、複数の低レートサブストリームに分割される。各サブストリームは、複数の直交サブキャリアのうちの１つを用いて変調され、複数の並列サブチャネルのうちの１つの上で送信される。ＯＦＤＭＡは、ユーザが、異なるタイムスロットにおいてサブキャリアを割り当てられる多元接続技法である。ＯＦＤＭＡは、多種多様なアプリケーション、データレート、およびサービス品質要件をもつ多くのユーザに対応することができるフレキシブルな多元接続技法である。
【００２１】
ワイヤレスインターネットおよび通信の急成長は、ワイヤレス通信サービスの分野における高データレートに対する需要の増加をもたらした。ＯＦＤＭ／ＯＦＤＭＡシステムは、今日、最も有望な研究領域の１つとして、および次世代のワイヤレス通信のための主要な技術として考えられている。これは、ＯＦＤＭ／ＯＦＤＭＡ変調方式が、変調効率、スペクトル効率、柔軟性、および従来のシングルキャリア変調方式に勝る強いマルチパス耐性など多くの利点を与えることができることに起因する。
【００２２】
ＩＥＥＥ８０２．１６ｘは、固定およびモバイルブロードバンドワイヤレスアクセス（ＢＷＡ）システムのためのエアインターフェースを定義する新興の規格組織である。これらの規格は、少なくとも４つの異なる物理層（ＰＨＹ）および１つのメディアアクセス制御（ＭＡＣ）層を定義している。４つの物理層のうちのＯＦＤＭおよびＯＦＤＭＡ物理層は、それぞれ固定およびモバイルＢＷＡ領域において最も一般的である。
【００２３】
図１に、ワイヤレス通信システム１００の一例を示す。ワイヤレス通信システム１００は、ブロードバンドワイヤレス通信システムとすることができる。ワイヤレス通信システム１００は、いくつかのセル１０２に通信を与えることができ、各セルは基地局１０４によってサービスされる。基地局１０４は、ユーザ端末１０６と通信する固定局とすることができる。基地局１０４は、代替的に、アクセスポイント、ノードＢ、または何らかの他の用語で呼ばれることもある。
【００２４】
図１に、システム１００全体に散在する様々なユーザ端末１０６を示す。ユーザ端末１０６は固定（すなわち、静止）でも移動でもよい。ユーザ端末１０６は、代替的に、リモート局、アクセス端末、端末、加入者ユニット、移動局、局、ユーザ機器などと呼ばれることもある。ユーザ端末１０６は、セルラー電話、携帯情報端末（ＰＤＡ）、ハンドヘルドデバイス、ワイヤレスモデム、ラップトップコンピュータ、パーソナルコンピュータ（ＰＣ）などワイヤレスデバイスでもよい。
【００２５】
様々なアルゴリズムおよび方法を、基地局１０４とユーザ端末１０６との間の、ワイヤレス通信システム１００における送信のために使用することができる。たとえば、ＯＦＤＭ／ＯＦＤＭＡ技法に従って、基地局１０４とユーザ端末１０６との間で信号を送信および受信することができる。この場合には、ワイヤレス通信システム１００をＯＦＤＭ／ＯＦＤＭＡシステムと呼ぶことができる。
【００２６】
基地局１０４からユーザ端末１０６への送信を可能にする通信リンクをダウンリンク１０８と呼び、ユーザ端末１０６から基地局１０４への送信を可能にする通信リンクをアップリンク１１０と呼ぶことができる。代替的に、ダウンリンク１０８を順方向リンクまたは順方向チャネルと呼び、アップリンク１１０を逆方向リンクまたは逆方向チャネルと呼ぶことができる。
【００２７】
セル１０２は複数のセクタ１１２に分割できる。セクタ１１２は、セル１０２内の物理的カバレージエリアである。ワイヤレス通信システム１００内の基地局１０４は、セル１０２の特定のセクタ１１２内の電力の流れを集中させるアンテナを利用することができる。そのようなアンテナを指向性アンテナと呼ぶことができる。
【００２８】
図２に、ワイヤレスデバイス２０２中で利用できる様々な構成要素を示す。ワイヤレスデバイス２０２は、本明細書で説明する様々な方法を実装するように構成できるデバイスの一例である。ワイヤレスデバイス２０２は基地局１０４またはユーザ端末１０６とすることができる。
【００２９】
ワイヤレスデバイス２０２は、ワイヤレスデバイス２０２の動作を制御するプロセッサ２０４を含むことができる。プロセッサ２０４は中央処理装置（ＣＰＵ）と呼ばれることもある。読取り専用メモリ（ＲＯＭ）とランダムアクセスメモリ（ＲＡＭ）の両方を含むことができるメモリ２０６は、命令とデータとをプロセッサ２０４に与える。メモリ２０６の一部は不揮発性ランダムアクセスメモリ（ＮＶＲＡＭ）をも含むことができる。プロセッサ２０４は一般に、メモリ２０６内に記憶されたプログラム命令に基づいて、論理および演算動作を実行する。メモリ２０６中の命令は、本明細書で説明する方法を実装するために実行可能である。
【００３０】
ワイヤレスデバイス２０２は、ワイヤレスデバイス２０２と遠隔地との間のデータの送信および受信を可能にするために送信機２１０と受信機２１２とを含むことができるハウジング２０８を含むこともできる。送信機２１０と受信機２１２とを組み合わせてトランシーバ２１４を形成することができる。アンテナ２１６は、ハウジング２０８に取り付けられ、トランシーバ２１４に電気的に結合される。ワイヤレスデバイス２０２は、複数の送信機、複数の受信機、複数のトランシーバ、および／または複数のアンテナ（図示せず）をも含むことができる。
【００３１】
ワイヤレスデバイス２０２は、トランシーバ２１４によって受信された信号のレベルを検出および定量化するために使用できる信号検出器２１８をも含むことができる。信号検出器２１８は、総エネルギー、パイロットサブキャリアからのパイロットエネルギーまたはプリアンブルシンボルからの信号エネルギー、電力スペクトル密度、および他の信号などの信号を検出できる。ワイヤレスデバイス２０２は、信号を処理する際に使用するためのデジタル信号プロセッサ（ＤＳＰ）２２０を含むこともできる。
【００３２】
ワイヤレスデバイス２０２の様々な構成要素は、データバスに加えて、パワーバス、制御信号バス、およびステータス信号バスを含むことができるバスシステム２２２によって一緒に結合できる。
【００３３】
図３に、ＯＦＤＭ／ＯＦＤＭＡを利用するワイヤレス通信システム１００内で使用できる送信機３０２の一例を示す。送信機３０２の部分は、ワイヤレスデバイス２０２の送信機２１０中に実装される。送信機３０２は、ダウンリンク１０８上でデータ３０６をユーザ端末１０６に送信するための基地局１０４中に実装される。送信機３０２は、アップリンク１１０上でデータ３０６を基地局１０４に送信するためのユーザ端末１０６中にも実装される。
【００３４】
送信されるデータ３０６は、直並列（Ｓ／Ｐ）変換器３０８に入力として供給されるものとして示してある。Ｓ／Ｐ変換器３０８は送信データをＮ個の並列データストリーム３１０に分割する。
【００３５】
次いで、Ｎ個の並列データストリーム３１０はマッパー３１２に入力として供給される。マッパー３１２は、Ｎ個の並列データストリーム３１０をＮ個のコンスタレーションポイントにマッピングすることができる。マッピングは、２位相偏移キーイング（ＢＰＳＫ）、４位相偏移キーイング（ＱＰＳＫ）、８位相偏移キーイング（８ＰＳＫ）、直交振幅変調（ＱＡＭ）など、何らかの変調コンスタレーションを使用して行われる。したがって、マッパー３１２は、それぞれ逆高速フーリエ変換（ＩＦＦＴ）３２０のＮ個の直交サブキャリアのうちの１つに対応する、Ｎ個の並列シンボルストリーム３１６を出力する。これらのＮ個の並列シンボルストリーム３１６は、周波数領域において表され、ＩＦＦＴ構成要素３２０によってＮ個の並列時間領域サンプルストリーム３１８に変換される。
【００３６】
次に、用語に関する簡単な注釈を与える。周波数領域におけるＮ個の並列変調は、周波数領域におけるＮ個の変調シンボルに等しく、これは、周波数領域におけるＮ個のマッピングおよびＮ個のポイントＩＦＦＴに等しく、これは、時間領域における１つの（有用な）ＯＦＤＭシンボルに等しく、これは、時間領域におけるＮ個のサンプルに等しい。時間領域における１つのＯＦＤＭシンボル、Ｎｓは、Ｎｃｐ（ＯＦＤＭシンボル当たりのガードサンプル数）＋Ｎ（ＯＦＤＭシンボル当たりの有用なサンプル数）に等しい。
【００３７】
Ｎ個の並列時間領域サンプルストリーム３１８は、並直列（Ｐ／Ｓ）変換器３２４によって、ＯＦＤＭ／ＯＦＤＭＡシンボルストリーム３２２に変換される。ガード挿入構成要素３２６は、ＯＦＤＭ／ＯＦＤＭＡシンボルストリーム３２２中の連続したＯＦＤＭ／ＯＦＤＭＡシンボル間にガードインターバルを挿入する。次いで、ガード挿入構成要素３２６の出力は、無線周波数（ＲＦ）フロントエンド３２８によって、所望の送信周波数帯域にアップコンバートされる。次いで、アンテナ３３０は、得られた信号３３２を送信する。
【００３８】
図３に、ＯＦＤＭ／ＯＦＤＭＡを利用するワイヤレス通信システム１００内で使用できる受信機３０４の一例をも示す。受信機３０４の部分は、ワイヤレスデバイス２０２の受信機２１２中に実装される。受信機３０４は、ダウンリンク１０８上で基地局１０４からデータ３０６を受信するためのユーザ端末１０６中に実装される。受信機３０４は、アップリンク１１０上でユーザ端末１０６からデータ３０６を受信するための基地局１０４中に実装される。
【００３９】
送信信号３３２は、ワイヤレスチャネル３３４上を移動するものとして示してある。信号３３２’がアンテナ３３０’によって受信されると、受信信号３３２’はＲＦフロントエンド３２８’によってベースバンド信号にダウンコンバートされる。次いで、ガード除去構成要素３２６’は、ガード挿入構成要素３２６によってＯＦＤＭ／ＯＦＤＭＡシンボル間に挿入されたガードインターバルを除去する。
【００４０】
ガード除去構成要素３２６’の出力はＳ／Ｐ変換器３２４’に供給される。Ｓ／Ｐ変換器３２４’は、ＯＦＤＭ／ＯＦＤＭＡシンボルストリーム３２２’を、それぞれＮ個の直交サブキャリアのうちの１つに対応するＮ個の並列時間領域シンボルストリーム３１８’に分割する。高速フーリエ変換（ＦＦＴ）構成要素３２０’は、Ｎ個の並列時間領域シンボルストリーム３１８’を周波数領域に変換し、Ｎ個の並列周波数領域シンボルストリーム３１６’を出力する。
【００４１】
デマッパー３１２’は、マッパー３１２によって実行されたシンボルマッピング動作の逆を実行し、それによって、Ｎ個の並列データストリーム３１０’を出力する。Ｐ／Ｓ変換器３０８’は、Ｎ個の並列データストリーム３１０’を単一のデータストリーム３０６’に合成する。理想的には、このデータストリーム３０６’は、送信機３０２に入力として供給されたデータ３０６に対応する。
【００４２】
ＷｉＭＡＸからＣＤＭＡへの例示的なハンドオーバ
図４Ａに、ＷｉＭＡＸセル１０２が符号分割多元接続（ＣＤＭＡ）セル４０４と隣接しているモビリティシナリオを示す。ＷｉＭＡＸセル１０２の少なくともいくつかは、ＣＤＭＡ信号のカバレージを与えることもできるが、本開示中のいくつかの実施形態のために、セル１０２は今回、ＭＳ４２０と通信するためにＷｉＭＡＸを利用する。各ＷｉＭＡＸセル１０２は一般に、デュアルモードＭＳ４２０など、ユーザ端末とのＷｉＭＡＸネットワーク通信を可能にするために、ＷｉＭＡＸ基地局（ＢＳ）１０４を有する。本明細書で使用する、デュアルモードＭＳは一般に、ＷｉＭＡＸ信号とＣＤＭＡ信号の両方を処理することが可能なＭＳを指す。ＷｉＭＡＸセル１０２と同様に、各ＣＤＭＡセル４０４は一般に、たとえば、ＭＳ４２０などユーザ端末を用いたＣＤＭＡ  Ｅｖｏｌｕｔｉｏｎ−Ｄａｔａ  Ｏｐｔｉｍｉｚｅｄ（ＥＶＤＯ）または１ｘ無線伝送技術（１ｘＲＴＴまたは単に１ｘ）通信を可能にするために、ＣＤＭＡ  ＢＳ４１０を有する。
【００４３】
図４Ａの現在のシナリオでは、ＭＳ４２０は、ＷｉＭＡＸ  ＢＳ１０４のカバレージエリアの外側に移動し、ＣＤＭＡ  ＢＳ４１０のカバレージエリアに入ることができる。図示のようにＷｉＭＡＸセル１０２からＣＤＭＡセル４０４に遷移する間、ＭＳ４２０は、ＭＳが両方のネットワークから信号を受信することが可能であるカバレージオーバーラップエリア４０８に入ることができる。
【００４４】
この遷移中に、ＭＳは、ＷｉＭＡＸ  ＢＳからＣＤＭＡ  ＢＳへのハンドオーバプロセスを実施することができる。同じネットワークタイプの２つのＢＳ間のハンドオーバに関連する通常の困難に加えて、ＷｉＭＡＸからＣＤＭＡ  ＥＶＤＯ／１ｘへなど、異なるネットワークタイプの２つのＢＳ間のハンドオーバは、サービス継続性にさらなる課題を提示し、これは、ハンドオーバが行われるとき、ＭＳがデータ転送中(ongoing)）には深刻である。
【００４５】
したがって、デュアルモードＭＳがサービス途絶を最小限に抑えながらＷｉＭＡＸネットワークからＣＤＭＡネットワークへのハンドオーバを迅速に自律的に実行することができるような技法および装置が必要である。
【００４６】
本開示の実施形態は、デュアルモードＭＳがＷｉＭＡＸネットワークからＣＤＭＡ  ＥＶＤＯ／１ｘネットワークへハンドオーバすることを可能にする方法および装置を提供する。そのような技法は、ＭＳがＷｉＭＡＸからＣＤＭＡネットワークカバレージへ移動する間、サービス継続性を高めることができる。さらに、本開示の実施形態は、規格変更を必要とせず、ハンドオーバはＭＳによって自動的に実行できる（すなわち、ハンドオーバはＭＳ自律プロシージャである）。
【００４７】
図５に、ＷｉＭＡＸネットワークからＣＤＭＡ  ＥＶＤＯ／１ｘネットワークへのＭＳ自律ハンドオーバのための例示的な動作のフローチャートを示す。５００において、デュアルモードＭＳに可能なＣＤＭＡカバレージを走査させることができるトリガを検出することによって動作が開始する。トリガイベントは、たとえば、意図的に周期的であるか、ＨＨＯ、ＦＢＳＳ、またはＭＤＨＯなど、サポートまたは選択されたハンドオーバ方法に応じて生じるか、あるいはネイバー広告メッセージ中で受信されたネイバーＢＳの数が過去に受信された数よりも小さいときに生じる場合がある。
【００４８】
周期的トリガリングは、ＭＳのステータスにかかわらず、いくつかの時間間隔において生じる場合がある。いくつかの実施形態の場合、これらの時間間隔をＭＳにあらかじめ設定し、必要な場合、後で新しい時間間隔で更新することができる。
【００４９】
ＭＳがＨＨＯをサポートするとき、サービングＷｉＭＡＸ  ＢＳの平均キャリア対干渉ノイズ比（ＣＩＮＲ）、または平均受信信号強度インジケータ（ＲＳＳＩ）が第１のしきい値を下回り、平均ＣＩＮＲまたは平均ＲＳＳＩが第２のしきい値を超えるネイバーＷｉＭＡＸ  ＢＳがないときトリガイベントが生じる場合があり、ただし、第１のしきい値と第２のしきい値とは異なることがある。たとえば、サービングＷｉＭＡＸしきい値およびネイバーＷｉＭＡＸしきい値を、それぞれＴ＿ＳｃａｎＣＤＭＡ＿１およびＴ＿ＳｃａｎＣＤＭＡ＿２と表すことができる。本質的に、ＭＳがサービングＷｉＭＡＸ  ＢＳの有効カバレージを越えて目下移動し、ハンドオーバする適切なＷｉＭＡＸ  ＢＳがないときトリガイベントが生じる場合がある。
【００５０】
ＦＢＳＳまたはＭＤＨＯをサポートするＭＳの場合、ダイバーシティセット中のすべてのＷｉＭＡＸ  ＢＳの平均ＣＩＮＲがあるしきい値を下回るとき、トリガリングが生じる場合がある。たとえば、このしきい値をＴ＿ＳｃａｎＣＤＭＡ＿３と表すことができ、さらに（１＋γ）＊Ｈ＿Ｄｅｌｅｔｅに等しいとすることができ、ただし、γは０以上の調整係数であり、Ｈ＿ＤｅｌｅｔｅはＢＳをダイバーシティセットからいつ削除すべきかを判断するために、ＦＢＳＳ／ＭＤＨＯ対応ＭＳによって使用されるしきい値である。調整係数γを用いて、移動しているＭＳがＷｉＭＡＸカバレージを失い、ハンドオーバを開始することを試みる前に十分にＣＤＭＡカバレージを走査することをトリガするために、トリガリングしきい値はＨ＿Ｄｅｌｅｔｅしきい値よりも大きいとすることができる。要するに、すべての近くのＷｉＭＡＸ  ＢＳ  ＣＩＮＲ値があるしきい値を下回り、したがってＭＳが移動しそうであると予測したか、またはＭＳがＷｉＭＡＸネットワークの有効カバレージの外側に移動したことを示したとき、このトリガイベントが生じる場合がある。
【００５１】
ネイバー広告メッセージ（ＭＯＢ＿ＮＢＲ−ＡＤＶ）中で受信された隣接ＷｉＭＡＸ  ＢＳの数が過去に受信されたＭＯＢ＿ＮＢＲ−ＡＤＶメッセージ中のネイバーＢＳの平均数を乗算されたβよりも小さいとき、ネイバー広告メッセージトリガリングが生じる場合があり、ただし、βは０以上の調整係数である。たとえば、走査は、ｎ番目のＭＯＢ＿ＮＢＲ−ＡＤＶメッセージを受信するとトリガされ、Ｎ＿ＮＢＲ（ｎ）＜β＊Ａ＿Ｎ＿ＮＢＲ（ｎ−１）、ｎ＝０、１、２．．．であり、ただし、Ｎ＿ＮＢＲ（ｎ）は現在のＭＯＢ＿ＮＢＲ−ＡＤＶメッセージ中のネイバーＢＳの数であり、Ａ＿Ｎ＿ＮＢＲ（ｎ）＝α＊Ｎ＿ＮＢＲ（ｎ）＋（１−α）＊Ａ＿Ｎ＿ＮＢＲ（ｎ−１）は指数移動平均であり、αはその移動平均用の平滑化係数である。
【００５２】
ＷｉＭＡＸ  ＢＳは同じネイバーメッセージをブロードキャストし続けることができるので、各ＭＯＢ＿ＮＢＲ−ＡＤＶメッセージを受信した後に、指数ｎを増分する必要はなく、平均Ａ＿Ｎ＿ＮＢＲ（ｎ）を計算する必要はない。むしろ、ＭＳが異なるネイバー広告メッセージを受信することができるとき、ＭＤＨＯまたはＦＢＳＳにおけるアンカーＢＳへのハンドオーバまたは更新の場合に指数ｎは増分される。
【００５３】
ＷｉＭＡＸネットワーク中のデータパケットを失うことなしにＣＤＭＡ  ＥＶＤＯ／１ｘネットワークを走査するために、現在のデータ送信を一時的に中断することができる。したがって、上記のトリガ条件の１つが満たされたとき、ＭＳがＣＤＭＡ  ＥＶＤＯ／１ｘネットワークを走査するためにＷｉＭＡＸネットワークと通信することができないいくつかの時間間隔をＷｉＭＡＸ  ＢＳに通知するために、５１０において、ＭＳは、走査間隔割振り要求（ＭＯＢ＿ＳＣＮ−ＲＥＱ）メッセージをＷｉＭＡＸ  ＢＳに送信することによってＷｉＭＡＸネットワークとの現在のデータ送信の中断を要求することができる。
【００５４】
ＭＯＢ＿ＳＣＮ−ＲＥＱメッセージは、走査継続時間、インタリーブ間隔、および走査反復などのパラメータを備えることができる。走査継続時間は、要求された走査期間の継続時間（ＯＦＤＭ／ＯＦＤＭＡフレーム単位）とすることができ、インタリーブ間隔は、走査継続時間の間でインタリーブされるＭＳ通常動作の期間とすることができ、走査反復は、ＭＳによる反復走査間隔の要求された数とすることができる。これらのパラメータについては、図６に関して以下でより詳細に説明する。
【００５５】
走査要求メッセージを受信した後、次いで、ＷｉＭＡＸ  ＢＳは、走査間隔割振り応答（ＭＯＢ＿ＳＣＮ−ＲＳＰ）メッセージで応答することができる。ＢＳは、走査要求を許可するか、または拒否する。
【００５６】
ＣＤＭＡ  ＥＶＤＯ／１ｘネットワークの走査をトリガすると、５２０において、ＭＳは、ＭＳにあらかじめプログラムすることができる好適ローミングリスト（ＰＲＬ）を使用して、ＣＤＭＡネットワークを走査する。ＰＲＬは、可能なＣＤＭＡパイロットを走査し、ＣＤＭＡネットワークに同期させ、および／またはセクタパラメータメッセージまたはシステムパラメータメッセージを収集するために、ＣＤＭＡチャネル情報を与えことができる。走査中に正常に識別されたすべてのＣＤＭＡ  ＢＳをＣＤＭＡパイロット候補セット中に含めることができる。各候補パイロットは、次の属性、すなわちＥＶＤＯまたは１ｘプロトコル改訂、帯域クラス、チャネル番号、システム識別番号（ＳＩＤ）、ネットワーク識別番号（ＮＩＤ）、パケットゾーンＩＤ、およびパイロット擬似雑音（ＰＮ）オフセットを備えることができる。
【００５７】
図６に、ＭＳがＣＤＭＡ  ＢＳ走査を実行する走査間隔を示す。５００において、ＣＤＭＡ  ＥＶＤＯ／１ｘネットワーク走査のためのトリガを検出すると、ＭＳはネットワークを走査することを開始することができ、開始フレーム６１０によって示される。その後、ＭＳは所定の走査継続時間６２０の間ＣＤＭＡネットワークを走査することができ、それが終了すると、ＭＳは所定のインタリーブ間隔６２２の間走査を中止し、通常動作を再開することができる。走査およびインタリーブのこの交互のパターンはＣＤＭＡ  ＢＳ走査の終了まで続けることができる。複数の走査反復ではなく、ＭＯＢ＿ＳＣＮ−ＲＥＱ走査反復パラメータは、いくつかの実施形態では単一の走査反復を示すことがある。そのような場合、ＣＤＭＡ  ＢＳの走査は単一の走査継続時間をのみ含むことができる。
【００５８】
走査が完了するごとに、１つまたは複数の新しい候補ＣＤＭＡパイロットを候補セット中に追加することができる。逆に、走査中にもはやパイロットが発見されない場合、１つまたは複数の既存の候補ＣＤＭＡパイロットをＣＤＭＡ候補セットから削除することができる。
【００５９】
５３０において、ＣＤＭＡ  ＢＳ走査の結果に応じて、ＭＳは、ＣＤＭＡ  ＢＳへのハンドオーバを開始すべきかどうかを自律的に判断する。ハンドオーバする決定は、何らかの候補ＣＤＭＡ  ＢＳが利用可能であることをＣＤＭＡ  ＢＳ走査が示すことに加えて、ＭＳによってサポートされるハンドオーバ方法に応じてトリガできる。ＨＨＯの場合、サービングＢＳが、しきい値よりも小さい平均ＣＩＮＲ、および／または別のしきい値よりも小さい平均ＲＳＳＩ、および／またはさらに別のしきい値よりも大きいＢＳ往復遅延（ＲＴＤ）を有するとき、ハンドオーバをトリガすることができる。ＦＢＳＳまたはＭＤＨＯの場合、ダイバーシティセット中のすべてのＢＳが削除されそうである、すなわち平均ＣＩＮＲがＨ＿Ｄｅｌｅｔｅよりも小さいとき、ハンドオーバをトリガすることができる。
【００６０】
５３０において、ＣＤＭＡ  ＢＳへハンドオーバすることを決定した場合、５４０においてハンドオーバ中に、ＭＳは、登録解除要求（ＤＲＥＧ−ＲＥＱ）メッセージをサービングＷｉＭＡＸ  ＢＳに送信することによってアイドル状態に入る意図をシグナリングする。ＷｉＭＡＸ  ＢＳからの応答（たとえば、登録解除コマンド（ＤＲＥＧ−ＣＭＤ）メッセージ）またはタイムアウトを受信すると、ＭＳはＷｉＭＡＸ  ＢＳとの接続を終了する。データ接続を終了した後、ＭＳは、候補セットにおけるすべてのＣＤＭＡパイロットを探索し、各パイロットのパイロット強度を測定する。次いで、ＭＳは、ＣＤＭＡ  ＥＶＤＯ／１ｘネットワークへのアクセスのための最も強いパイロットを選択することができる。次いでＭＳは、アクセスを開始し、最も強いパイロットに関連するＣＤＭＡ  ＢＳとの新しいデータセッションおよび接続をセットアップする。
【００６１】
しかしながら、候補セットにおいてパイロットが発見されなかった場合、ＭＳはアクセスのための可能なＣＤＭＡパイロットを識別するために新しいＣＤＭＡチャネル探索を開始する。さらに、所定の最終期限の前にＣＤＭＡ  ＥＶＤＯ／１ｘネットワークへのハンドオーバが失敗した場合、ＭＳは依然として、ＷｉＭＡＸ規格で指定されたアイドルモードプロシージャ後のネットワークリエントリを使用してＷｉＭＡＸネットワークに復帰して、前のデータセッションを再開することができる。
【００６２】
図７に、ＭＳ自律ＷｉＭＡＸ−ＣＤＭＡ  ＥＶＤＯ／１ｘハンドオーバプロシージャをさらに示し、デュアルモードＭＳ４２０とＷｉＭＡＸ  ＢＳ１０４とＣＤＭＡ  ＢＳ４１０との間の対話を詳述する。前述のように、ＷｉＭＡＸ−ＣＤＭＡ  ＥＶＤＯ／１ｘハンドオーバプロセスは、７３０においてＣＤＭＡネットワークを走査するためのトリガで開始する。次いで、７４０において、ＭＳは走査要求（ＭＯＢ＿ＳＣＮ−ＲＥＱ）をＷｉＭＡＸ  ＢＳに送信する。７５０において、ＷｉＭＡＸ  ＢＳは、要求を許可する走査応答（ＭＯＢ＿ＳＣＮ−ＲＳＰ）で応答する。その後、７６０において、ＭＳは、ＣＤＭＡ  ＥＶＤＯ／１ｘ  ＢＳを走査し、すべての可能なＣＤＭＡパイロットを候補セット中に含める。７７０において、実際のハンドオーバのためのトリガが受信されたとき、７８０において、ＭＳは登録解除要求（ＤＲＥＧ−ＲＥＱ）をＷｉＭＡＸ  ＢＳに送信する。７８５において応答して、ＷｉＭＡＸ  ＢＳは、ＷｉＭＡＸ  ＢＳとの通常動作を終了するようにＭＳに命令する登録解除コマンド（ＤＲＥＧ−ＣＭＤ）を送信する。次いで、７９０において、ＭＳは、新しいＣＤＭＡ  ＥＶＤＯ／１ｘ  ＢＳにアクセスし、新しいデータセッションおよび接続をセットアップする。
【００６３】
ＣＤＭＡからＷｉＭＡＸへの例示的なハンドオーバ
図４Ｂに、符号分割多元接続（ＣＤＭＡ）セル４０４がＷｉＭＡＸセル１０２に隣接しているモビリティシナリオを示す。ＣＤＭＡセル４０４の少なくともいくつかは、ＷｉＭＡＸ信号のカバレージを与えることもできるが、本開示中のいくつかの実施形態のために、ＣＤＭＡセル４０４は今回、デュアルモードＭＳ４２０など、ユーザ端末と通信するためにＣＤＭＡ  Ｅｖｏｌｕｔｉｏｎ−Ｄａｔａ  Ｏｐｔｉｍｉｚｅｄ（ＥＶＤＯ）を利用する。各ＣＤＭＡセル４０４は一般に、デュアルモードＭＳ４２０とのＣＤＭＡ  ＥＶＤＯネットワーク通信を可能にするためにＣＤＭＡ  ＢＳ４１０を有する。
【００６４】
図４Ｂの現在のシナリオでは、ＭＳ４２０は、ＣＤＭＡ  ＢＳ４１０のカバレージエリアの外側に移動し、ＷｉＭＡＸ  ＢＳ１０４のカバレージエリアに入ることができる。図示のようにＣＤＭＡセル４０４からＷｉＭＡＸセル１０２に遷移する間、ＭＳ４２０は、ＭＳが両方のネットワークから信号を受信することが可能であるカバレージオーバーラップエリア４０８に入ることができる。
【００６５】
この遷移中に、ＭＳは、ＣＤＭＡ  ＢＳからＷｉＭＡＸ  ＢＳへのハンドオーバプロセスを実施することができる。同じネットワークタイプの２つのＢＳ間のハンドオーバに関連する通常の困難に加えて、ＣＤＭＡ  ＥＶＤＯからＷｉＭＡＸへなど、異なるネットワークタイプの２つのＢＳ間のハンドオーバはサービス継続性にさらなる課題を提示し、これは、ハンドオーバが行われるとき、ＭＳがデータ転送中である場合、特に深刻である。
【００６６】
したがって、デュアルモードＭＳがサービス途絶を最小限に抑えながらＣＤＭＡネットワークからＷｉＭＡＸネットワークへのハンドオーバを迅速に自律的に実行することができるような技法および装置が必要である。
【００６７】
本開示の実施形態は、デュアルモードＭＳがＣＤＭＡ  ＥＶＤＯネットワークからＷｉＭＡＸネットワークへハンドオーバすることを可能にする方法および装置を提供する。そのような技法は、ＭＳがＣＤＭＡからＷｉＭＡＸネットワークカバレージへ移動する間、サービス継続性を高めることができる。さらに、本開示の実施形態は規格変更を必要とせず、ハンドオーバはＭＳによって自動的に実行できる（すなわち、ハンドオーバはＭＳ自律プロシージャである）。
【００６８】
図８に、ＣＤＭＡ  ＥＶＤＯネットワークからＷｉＭＡＸネットワークへのＭＳ自律ハンドオーバのための例示的な動作のフローチャートを示す。８００において、デュアルモードＭＳに可能なＷｉＭＡＸカバレージを走査させることができるトリガを検出することによって動作が開始する。トリガイベントは、たとえば、意図的に周期的であるか、ＣＤＭＡアクティブセット中のパイロット強度しきい値に応じて生じるか、あるいはネイバー数しきい値に応じて生じる場合がある。
【００６９】
周期的トリガリングは、ＭＳのステータスにかかわらず、いくつかの時間間隔において生じる場合がある。いくつかの実施形態の場合、これらの時間間隔をＭＳにあらかじめ設定し、必要な場合、後で新しい時間間隔で更新することができる。
【００７０】
ＣＤＭＡアクティブセット中のすべてのパイロットがあるしきい値よりも小さいパイロット強度を有するとき、パイロット強度しきい値トリガリングが生じる場合がある。たとえば、このしきい値をＴ＿ＳｃａｎＷｉＭＡＸと表すことができ、Ｔ＿ＳｃａｎＷｉＭＡＸは（１＋γ）＊Ｔ＿ＤＲＯＰと表すことができ、ただし、γは０以上の調整係数であり、Ｔ＿ＤＲＯＰは、パイロットをＣＤＭＡアクティブセットからいつ削除すべきかを判断するために、ＭＳによって使用されるしきい値である。調整係数γを用いて、移動しているＭＳがＣＤＭＡカバレージを失い、ハンドオーバを開始することを試みる前に十分にＷｉＭＡＸカバレージを走査することをトリガするために、トリガリングしきい値はＴ＿ＤＲＯＰしきい値よりも大きいとすることができる。要するに、すべての近くのＣＤＭＡ  ＢＳパイロット強度値があるしきい値を下回り、したがってＭＳが移動しそうであると予測したか、またはＭＳがＣＤＭＡネットワークの有効カバレージエリアの外側に移動したことを示したとき、このトリガイベントが生じる場合がある。
【００７１】
ネイバーリストメッセージ、拡張ネイバーリストメッセージ、一般ネイバーリストメッセージ、または汎用ネイバーリストメッセージ中で受信された隣接ＣＤＭＡ  ＢＳの数が、過去に受信された（拡張／一般／汎用）ネイバーリストメッセージ中のネイバーの平均数を乗算されたβよりも小さいとき、ネイバー数しきい値トリガリングが生じる場合があり、ただし、βは０以上の調整係数である。たとえば、走査は、ｎ番目の（拡張／一般／汎用）ネイバーリストメッセージを受信するとトリガされ、Ｎ＿ＮＢＲ（ｎ）＜β＊Ａ＿Ｎ＿ＮＢＲ（ｎ−１）、ｎ＝０、１、２．．．であり、ただし、Ｎ＿ＮＢＲ（ｎ）は現在の（拡張／一般／汎用）ネイバーリストメッセージ中のネイバーセクタの数であり、Ａ＿Ｎ＿ＮＢＲ（ｎ）＝α＊Ｎ＿ＮＢＲ（ｎ）＋（１−α）＊Ａ＿Ｎ＿ＮＢＲ（ｎ−１）は指数移動平均であり、αは平滑化係数である。
【００７２】
ＷｉＭＡＸネットワークの走査をトリガすると、８１０において、ＭＳはＷｉＭＡＸネットワーク走査を開始する。ＣＤＭＡ  ＥＶＤＯネットワーク中のデータパケットを失うことなしにＷｉＭＡＸネットワークを走査するために、現在のデータ送信を一時的に中断することができる。したがって、上記のトリガ条件の１つが満たされたとき、ＭＳがＷｉＭＡＸネットワークを走査するためにＣＤＭＡ  ＥＶＤＯネットワークと通信することができないいくつかの時間間隔をＣＤＭＡ  ＢＳに通知するために、ＭＳはデータレート制御（ＤＲＣ）カバーとして「ｎｕｌｌ  ｃｏｖｅｒ」をＣＤＭＡ  ＢＳに送信することによってＣＤＭＡ  ＥＶＤＯネットワークとの現在のデータ送信の中断を要求することができる。
【００７３】
ＤＲＣカバーをＣＤＭＡ  ＥＶＤＯ  ＢＳに送信した後、８２０において、ＭＳは、ＭＳにあらかじめプログラムすることができる支援情報を使用して、ＷｉＭＡＸネットワークを走査する。たとえば、支援情報は、帯域クラス、帯域幅、ＦＦＴサイズ、および巡回プレフィックス（ＣＰ）比を備えることができる。この情報を使用して、ＭＳは、ＷｉＭＡＸ  ＢＳプリアンブルを探索し、ＷｉＭＡＸフレーミングに同期させ、ＤＬ−ＭＡＰを読み取り、またはさらに、ダウンリンクチャネル記述子（ＤＣＤ）およびアップリンクチャネル記述子（ＵＣＤ）メッセージを収集することができる。その後、走査を通して正常に識別された隣接エリア中のＷｉＭＡＸ  ＢＳを、ＷｉＭＡＸ  ＢＳ候補セットに追加することができる。候補セット中の各候補ＷｉＭＡＸ  ＢＳは以下の属性、すなわちＢＳ  ＩＤ、帯域幅、ＦＦＴサイズ、ＣＰ比、周波数割当て（ＦＡ）指数、フレームサイズ、プリアンブル指数、および随意のＤＣＤ／ＵＣＤを含むことができる。
【００７４】
走査に続いて、ＭＳは、ＤＲＣ  Ｃｏｖｅｒ＝Ｓｅｃｔｏｒ  ＣｏｖｅｒメッセージをＣＤＭＡ  ＥＶＤＯ  ＢＳに送信することによって、走査プロセスの完了をＣＤＭＡ  ＥＶＤＯ  ＢＳに通知することができる。さらに、１つまたは複数の新しい候補ＷｉＭＡＸ  ＢＳを、候補セットに追加することができる。逆に、走査中にもはや（１つまたは複数の）候補ＷｉＭＡＸ  ＢＳが発見されない場合、１つまたは複数の既存の候補ＷｉＭＡＸ  ＢＳを候補セットから削除する。
【００７５】
８３０において、ＷｉＭＡＸ  ＢＳ走査の結果に応じて、ＭＳは、ＷｉＭＡＸ  ＢＳへのハンドオーバを開始すべきかどうかを自律的に判断する。ハンドオーバする決定は、何らかの候補ＷｉＭＡＸ  ＢＳが利用可能であることをＷｉＭＡＸ  ＢＳ走査が示すことに加えて、どのトリガイベントが生じたかに依存することができる。たとえば、アクティブセット中のすべてのパイロットが削除されそうであるとき、ハンドオーバが行われることがある。
【００７６】
８３０において、ＷｉＭＡＸ  ＢＳへハンドオーバすることを決定した場合、８４０においてハンドオーバ中に、ＭＳは、ＣＤＭＡ  ＥＶＤＯネットワークとのデータ接続を閉じ、休止状態に入るために、Ｃｏｎｎｅｃｔｉｏｎ  ＣｌｏｓｅメッセージをＣＤＭＡ  ＢＳに送信する。次に、ＭＳは、候補セット中のすべてのＷｉＭＡＸ  ＢＳを走査し、ＣＩＮＲおよび／またはＲＳＳＩに従ってチャネル品質を測定することができる。ＭＳは、たとえば、ＷｉＭＡＸネットワークにアクセスするために、最大ＣＩＮＲまたはＲＳＳＩのいずれかをもつ最も適切なＷｉＭＡＸ  ＢＳ候補を選択する。次いでＭＳは、ネットワークエントリアクセスを開始し、選択されたＷｉＭＡＸ  ＢＳとの新しいデータセッションおよび接続をセットアップすることができる。
【００７７】
しかしながら、候補セットにおいてＷｉＭＡＸ  ＢＳが発見されなかった場合、ＭＳはアクセスのための可能なＷｉＭＡＸ  ＢＳを識別するために新しいＷｉＭＡＸチャネル探索を開始する。さらに、所定の最終期限の前にＷｉＭＡＸネットワークへのハンドオーバが失敗した場合、ＭＳは依然として、ＣＤＭＡ  ＥＶＤＯ規格で指定された休止状態プロシージャからの再活動化を使用してＣＤＭＡ  ＥＶＤＯネットワークに復帰して、前のデータセッションを再開することができる。
【００７８】
図９に、ＭＳ自律ＣＤＭＡ  ＥＶＤＯ−ＷｉＭＡＸハンドオーバプロシージャをさらに示し、デュアルモードＭＳ４２０とＣＤＭＡ  ＢＳ４１０とＷｉＭＡＸ  ＢＳ１０４との間の対話を詳述する。ハンドオーバプロセスは、９３０においてＷｉＭＡＸ  ＢＳを走査するためのトリガで開始する。次いで、９４０において、ＭＳは、ＤＲＣ  Ｃｏｖｅｒ＝Ｎｕｌｌ  Ｃｏｖｅｒメッセージを送信することによって、差し迫った走査をＣＤＭＡ  ＥＶＤＯ  ＢＳに通知する。その後、９５０において、ＭＳは、ＷｉＭＡＸ  ＢＳを走査し、すべての可能なＷｉＭＡＸ  ＢＳを候補セット中に含める。走査に続いて、９６０において、ＭＳは、ＤＲＣ  Ｃｏｖｅｒ＝Ｓｅｃｔｏｒ  ＣｏｖｅｒメッセージをＣＤＭＡ  ＥＶＤＯ  ＢＳに送信することによって、走査プロセスの完了をＣＤＭＡ  ＥＶＤＯ  ＢＳに通知する。９７０においてハンドオーバをトリガすると、ＭＳは、９８０においてＣｏｎｎｅｃｔｉｏｎ  ＣｌｏｓｅメッセージをＣＤＭＡ  ＥＶＤＯ  ＢＳに送信し、その結果、９９０において、ＭＳは、現在の候補セット中のＷｉＭＡＸ  ＢＳのチャネル品質を測定し、ハンドオーバターゲットを選択し、ターゲットＷｉＭＡＸ  ＢＳへの初期ネットワークエントリを実行し、新しいデータセッションおよび接続をセットアップする。
【００７９】
インターＲＡＴハンドオーバ取消しをサポートし、ＷｉＭＡＸネットワークに復帰するための方法
インターＲＡＴハンドオーバは、図４のデュアルモードＭＳ４２０など、マルチモード移動局（ＭＳ）が第１のＲＡＴによる通信から第２のＲＡＴによる通信へ切り替えることを含む。たとえば、（サービングＲＡＴと見なすこともできる）第１のＲＡＴは、ＷｉＭＡＸとすることができ、（ターゲットＲＡＴとしても知られる）第２のＲＡＴは、ＣＤＭＡ、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｇｅｎｅｒａｌ  Ｐａｃｋｅｔ  Ｒａｄｉｏ  Ｓｅｒｖｉｃｅ（ＧＰＲＳ）、または任意の他のＲＡＴなど、様々な適切な技術のいずれかとすることができる。
【００８０】
インターＲＡＴハンドオーバは一般に、ターゲットＲＡＴネットワークとの新しいリンクをセットアップする前に、ＭＳがサービングＲＡＴネットワークとの既存のリンクを切断することを含むハードハンドオーバ（ＨＨＯ）によって行われることがある。しかしながら、ＨＨＯは、あまりロバストなプロシージャではない。あるシナリオでは、ＭＳが、２つのＲＡＴネットワーク間で交互に頻繁にハンドオーバを実行している、いわゆる「ピンポン効果」に遭遇する可能性がある。このピンポン効果は、異なるＲＡＴによってサービスされるセルのペア間のＭＳの頻繁な移動、そのようなセルペアの共通境界における高い信号変動、および／または異なるＲＡＴネットワーク間の小さいサイズのカバレージオーバーラップエリア４０８により生じる場合がある。ＭＳがインターＲＡＴハンドオーバを実行している間に第１のＲＡＴの信号品質が回復したか、または第２のＲＡＴの信号品質が退行したとき、別のシナリオが生じる場合がある。いずれのシナリオの場合も、ＭＳは、インターＲＡＴハンドオーバを取り消し、第１のＲＡＴネットワークに復帰することを決定する。
【００８１】
しかしながら、ハンドオーバに先立って第１のＲＡＴとのリンクが切断されたので、ＭＳが第１のＲＡＴネットワークとの新しいリンクをセットアップし、通信を再開することができるまでに遅延がある場合がある。言い換えれば、第１のＲＡＴネットワークへのＭＳのリエントリは通常のネットワークエントリとして扱われ、それによって通信を遅延させる。したがって、インターＲＡＴハンドオーバ取消しの場合、ＭＳが第１のＲＡＴに円滑に迅速に復帰することを可能にする技法が望ましい。
【００８２】
本開示のいくつかの実施形態は、第２のＲＡＴネットワークへのハンドオーバが取り消されたとき、第１のＲＡＴネットワークに容易に迅速に復帰するための方法および装置を提供する。本方法および装置は、第２のＲＡＴへのハンドオーバを完了する前にアイドルモードに入り、ＭＳサービスおよび動作情報、ならびにサービスフロー状態情報を保持するようにサービング基地局（ＢＳ）に要求することを含む。このようにして、第２のＲＡＴネットワークへのハンドオーバが完了前に取り消されたならば、保持されたＭＳ情報を使用して第１のＲＡＴネットワークへのリエントリを迅速に実行することができる。
【００８３】
図１０に、ＭＳの観点から、第２のＲＡＴネットワークへのハンドオーバが取り消されたとき、第１のＲＡＴネットワークに容易に迅速に復帰するための例示的な動作１０００を示す。ＭＳは、図４Ａに示すデュアルモードＭＳ４２０などマルチモードＭＳとすることができる。動作１０００が開始し、１００２において、ＭＳは第１のＲＡＴによってすでに通信している。
【００８４】
１００４において、ＭＳは、第２のＲＡＴを介するネットワークサービスへのハンドオーバ（ＨＯ）をトリガする。様々なファクタにより、ＭＳがそのようなハンドオーバをいつトリガするかを決定することができる。たとえば、第１のＲＡＴによって通信しているサービングＢＳからＭＳによって受信された信号の強度があるしきい値を下回ったとき、通信を維持するために第２のＲＡＴを介するネットワークサービスへハンドオーバすることが望ましい。
【００８５】
１００６において、ＭＳが完了前にインターＲＡＴハンドオーバを取り消すことを決定したならば、迅速なネットワークリエントリを達成するために、ＭＳは、あるＭＳ情報を保持するように第１のＲＡＴを介するネットワークサービスに要求する。情報は、ＭＳサービスおよび動作情報、ならびにサービスフロー状態情報を含むことができる。保持されるＭＳ情報のタイプについて以下でより詳細に説明する。
【００８６】
いくつかの実施形態の場合、１００８において、ＭＳは、ページングメッセージ間の期間（たとえば、ページングサイクル）を増加させるように第１のＲＡＴを介するネットワークサービスに要求する。ページングメッセージ間の期間のこの増加は、第１のＲＡＴ  ＢＳが保持されたＭＳ情報を削除することを遅延させるために行われ、それによって、ＭＳが本開示の実施形態に従って第１のＲＡＴを介するネットワークサービスに迅速に容易に復帰することができる時間を増加させることができる。ページングメッセージ間の期間のそのような増加を達成するための理由および方法について以下でより詳細に説明する。
【００８７】
上記の１００６および１００８における要求は、１つの要求メッセージに結合するか、または１つまたは２つの要求の任意の組合せとして任意のシーケンス中で送信することができる。ＭＳは、上記の１００６および１００８において行われる要求のいずれかを用いて、またはそれに加えてアイドルモードに入ることを要求することができる。
【００８８】
１０１２において、ＭＳは、第２のＲＡＴを介するネットワークサービスへのハンドオーバアクセスの前に、または少なくともインターＲＡＴハンドオーバが完了する前に、アイドルモードに入る。アイドルモードに入ることの詳細について以下でより詳細に説明する。アイドルモードに入り、少なくとも一部のＭＳ情報を保持することによって、ＭＳが第２のＲＡＴを介するネットワークサービスへのインターＲＡＴハンドオーバを取り消すことを決定したならば、ＭＳは、迅速に通信リンクを復旧し、サービスフローを復元するために、保持されたＭＳ情報を使用したアイドルモードからのネットワークリエントリにより、第１のＲＡＴを介するネットワークサービスに迅速に容易に復帰することができる。
【００８９】
インターＲＡＴハンドオーバの完了前の任意の時間に、１０１４において、ＭＳは、第１のＲＡＴを介するネットワークサービスに復帰すべきか、または第２のＲＡＴを介するネットワークサービスへのインターＲＡＴハンドオーバを実行し続けるべきかを判断する。いくつかの実施形態の場合、この判断は、インターＲＡＴハンドオーバの完了前に複数回行われることがある。１０１４において、ＭＳが第１のＲＡＴを介するネットワークサービスに復帰しないことを選択した場合、１０１６において、ＭＳは第２のＲＡＴを介するネットワークサービスへのハンドオーバを完了する。この場合、保持されたＭＳ情報は使用されず、最終的に、第１のＲＡＴを介するネットワークサービスはこの情報を削除することができる。
【００９０】
対照的に、第２のＲＡＴを介するネットワークサービスの信号品質が許容できなくなった場合、一例として、インターＲＡＴハンドオーバプロシージャ中に、１０１４において、ＭＳは第１のＲＡＴを介するネットワークサービスに復帰することを選択する。これが当てはまる場合、１０１８において、ＭＳは保持されたＭＳ情報を受信し、復元することができる。１０２０において、ＭＳは、第１のＲＡＴを介するネットワークサービスに対するアイドルモード中の迅速なネットワークリエントリを実行する。アイドルモードからのネットワークリエントリを達成するために、ＭＳは受信した保持されたＭＳ情報を使用して、迅速に容易に通信リンクを復旧し、サービスフローを復元することができ、それによって、第１のＲＡＴを介するネットワークサービスへの円滑な復帰を行う。
【００９１】
図１１に、ターゲットＲＡＴネットワークにハンドオーバアクセスする前にサービングＲＡＴネットワークにおいてアイドルモードに入ることを含む、インターＲＡＴハンドオーバを開始するための例示的な動作１１００のコールフローを示す。動作１１００は、図１０に示す動作１００２〜１０１２に対応することができる。
【００９２】
図１１では、デュアルモードＭＳ４２０など、ＭＳは、通常の動作モードで、ＷｉＭＡＸネットワークなど、第１のＲＡＴネットワークにおいてサービングＢＳ１０４と通信しているとすることができる。ＷｉＭＡＸ  ＢＳの信号品質が劣化したとき、ＭＳは、他のＲＡＴネットワーク中のＢＳを含む他のＢＳを走査するために、１つまたは複数の走査間隔を割り振るようにＷｉＭＡＸ  ＢＳに要求することができる。ＭＳは、ＭＯＢ＿ＳＣＮ−ＲＥＱメッセージ１１０４をＷｉＭＡＸ  ＢＳに送信することによってこれを達成することができる。ＷｉＭＡＸ  ＢＳは、（１つまたは複数の）走査間隔に同意する、ＭＯＢ＿ＳＣＮ−ＲＳＰメッセージ１１０６をＭＳに送信することによって応答することができる。（１つまたは複数の）走査間隔中に、ＷｉＭＡＸ  ＢＳは、ＭＳを対象とするダウンリンク（ＤＬ）またはアップリンク（ＵＬ）データバーストを割り振ることができない。
【００９３】
（１つまたは複数の）走査間隔中に１１０８において、ＭＳは、第１のＲＡＴ（たとえば、ＷｉＭＡＸ）とは異なるＲＡＴによって通信しているＢＳを含む、他のＢＳの信号品質を走査し、検出するか、またはハンドオーバを準備するためにシステムオーバーヘッドパラメータを収集することができる。たとえば、ＭＳは、第１のＲＡＴとは異なる第２のＲＡＴによって通信しているＢＳ１１０２から信号品質を検出することができる。上述のように、第２のＲＡＴは、ＣＤＭＡ、ＵＭＴＳ、またはＧＰＲＳなど、様々な適切な技術のいずれかとすることができる。１１０８における走査の終了時に、ＭＳは、他のＲＡＴ  ＢＳ１１０２がより良い信号品質を有すると判断することができ、１１１０において、ＭＳはＢＳ１１０２へのインターＲＡＴハンドオーバをトリガする。
【００９４】
インターＲＡＴハンドオーバがトリガされると、第２のＲＡＴネットワークにハンドオーバアクセスし、ターゲットＲＡＴ  ＢＳ１１０２との新しいデータセッションおよび接続を確立する前に、ＭＳはアイドルモードに入ることを要求することができる。アイドルモードを開始する意図をシグナリングするために、ＭＳは、Ｄｅ−Ｒｅｇｉｓｔｒａｔｉｏｎ＿Ｒｅｑｕｅｓｔ＿Ｃｏｄｅ＝０ｘ０１をもつ登録解除要求（ＤＲＥＧ−ＲＥＱ）メッセージ１１１２を送信する。以下でより詳細に説明するように、ＤＲＥＧ−ＲＥＱメッセージ１１１２はまた、ＭＳ情報を保持し、ページングメッセージ間の期間を増加させ、および／またはページングメッセージをトリガしないサービスフローのみを保持したいという他の要求を含むことができる。
【００９５】
ＤＲＥＧ−ＲＥＱメッセージ１１１２に応答して、ＷｉＭＡＸ  ＢＳは、登録解除コマンド（ＤＲＥＧ−ＣＭＤ）メッセージ１１１４を送信することによって、ＭＳの要求に同意することができる。１１１６において、ＭＳはアイドルモードに入る。１１１８において、ＭＳは、第２のＲＡＴネットワークにアクセスし、以前に（１つまたは複数の）走査間隔中に検出されたターゲットＢＳ１１０２との新しいデータセッションおよび接続をセットアップする。
【００９６】
ＭＳ起動アイドルモードに入りたいと要求するとき、インターＲＡＴハンドオーバが何らかの理由により完了前に取り消されたならば、ＷｉＭＡＸネットワークに円滑に復帰するために、ＭＳは、あるＭＳ情報を保持するようにＷｉＭＡＸ  ＢＳに要求することができる。情報は、ネットワークリエントリに関連するＭＡＣ管理メッセージＭＳサービスおよび動作情報、ならびにサービスフロー状態情報を含むことができる。サービスフロー状態情報と同様に、加入者基本ケイパビリティ（ＳＢＣ）、秘密鍵管理（ＰＫＭ）、および登録（ＲＥＧ）情報など、ＭＡＣ管理メッセージ情報は、アイドルモードからのネットワークリエントリ中に直ちに復元でき、それによってＷｉＭＡＸネットワークへのリエントリを迅速化する。
【００９７】
ＭＳ情報を保持するようにＷｉＭＡＸ  ＢＳに要求するために、ＭＳは、ＤＲＥＧ−ＲＥＱメッセージ１１１２においてアイドルモード保持情報タイプ長値（ＴＬＶ）（Ｔｙｐｅ＝４）を次のように設定することができる。
【００９８】
・Ｂｉｔ＃０＝１：ＳＢＣ−ＲＥＱ／ＲＳＰメッセージに関連するＭＳサービスおよび動作情報を保持する。
【００９９】
・Ｂｉｔ＃１＝１：ＰＫＭ−ＲＥＱ／ＲＳＰメッセージに関連するＭＳサービスおよび動作情報を保持する。
【０１００】
・Ｂｉｔ＃２＝１：登録要求／応答（ＲＥＧ−ＲＥＱ／ＲＳＰ）メッセージに関連するＭＳサービスおよび動作情報を保持する。
【０１０１】
・Ｂｉｔ＃６＝１：サービスフローＩＤ（ＳＦＩＤ）および関連する記述（ＱｏＳおよびクラシファイアルール）を含むＭＳ状態情報を保持する。
【０１０２】
ＭＳがターゲットＲＡＴネットワーク（たとえば、ＢＳ１１０２）へのハンドオーバを実行している間、ＷｉＭＡＸ  ＢＳは、アイドルモード通信の一部としてページング（ＭＯＢ＿ＰＡＧ−ＡＤＶ）メッセージをＭＳに送信することができる。しかしながら、ＭＳがターゲットＲＡＴネットワークにハンドオーバアクセスするのにビジーである場合、ＭＳはページングメッセージを受信することができない。ＭＳがあるタイムアウト期間内に応答しない場合、ＷｉＭＡＸ  ＢＳは、ＭＳからの応答を待ち、ＭＯＢ＿ＰＡＧ−ＡＤＶメッセージを再送信することができる。数回の試行（たとえば、再試行の最大数まで）の後、ＷｉＭＡＸ  ＢＳは、ＭＳがカバレージエリアから離れたと見なすことができ、したがって、保持されたＭＳ情報を削除することができる。そのような情報が削除され、理由は何であれ、インターＲＡＴハンドオーバが完了前に取り消された場合、ＭＳがＷｉＭＡＸネットワークに復帰し、データ送信を再開するために、ＭＳは完全な初期ネットワークエントリおよびサービスフロー生成プロシージャを実行することに戻ることがあり、これには時間がかかる場合がある。
【０１０３】
本開示のいくつかの実施形態はこの制限に対処し、少なくとも、インターＲＡＴハンドオーバが完了するまで、またはＭＳが第１のＲＡＴネットワークに復帰するまで、ＭＳ情報が保持されることを可能にすることができる技法を提供する。たとえば、ＭＳは、ＤＲＥＧ−ＲＥＱメッセージ１１１２中のページングサイクル値を増加させるように要求することができる。ページングサイクルのこの増加は、ＷｉＭＡＸ  ＢＳがインターＲＡＴハンドオーバ遷移期間中にＭＯＢ＿ＰＡＧ−ＡＤＶメッセージを送信し、インターＲＡＴハンドオーバが完了する前に保持されたＭＳ情報を削除することを回避するかまたは少なくとも遅延させるために行われる。したがって、ページングサイクルを増加させることにより、ＭＳがＷｉＭＡＸネットワークに迅速に容易に復帰することができる時間を延長することができる。ページングサイクルを増加させたいというそのような要求は、図１０に示す１００８において行われる要求に対応することができる。
【０１０４】
ページングサイクルを増加させるために、ＤＲＥＧ−ＲＥＱメッセージ１１１２のページングサイクル要求ＴＬＶ（Ｔｙｐｅ＝５２）を、大きい値に設定して、ＷｉＭＡＸ  ＢＳがハンドオーバ遷移時間期間中にページングメッセージをＭＳに送信することを遅延させることができる。５ｍｓのＯＦＤＭ／ＯＦＤＭＡフレーム継続時間を仮定すると、ページングサイクル要求ＴＬＶは、約３２７秒に対応する、ページングサイクルの６５，３３５フレームまで可能である。ただし、ページングサイクルが大きいと、ＢＳはより多くのＤＬデータをバッファする。一方、小さいページングサイクル値は、ＭＳがＷｉＭＡＸ  ＢＳに復帰するか、またはインターＲＡＴハンドオーバが完了するまでの最長時間をカバーすることができず、上述のように、ＷｉＭＡＸネットワークが保持されたＭＳ情報を早期に削除することになる。
【０１０５】
したがって、適切なページングサイクル値を選択するために、これらのトレードオフを考慮および平衡化することができる。目的は、インターＲＡＴハンドオーバを取り消し、ＷｉＭＡＸ  ＢＳに復帰することを決定するためにＭＳが要する最大時間に従ってページングサイクル値を設定することとすることができ、これは、数個のファクタに依存することがある。１つのファクタは、図４に示したカバレージオーバーラップエリア４０８など、インターＲＡＴハンドオーバ領域のサイズとすることができる。この領域がより小さい場合、上述のピンポン効果の可能性が増加することがあり、したがって、ＷｉＭＡＸ  ＢＳに復帰することを決定するためにＭＳが要する時間はより小さくなる。別のファクタは、ＭＳが移動する速度とすることができる。より高速で移動しているＭＳは、ＷｉＭＡＸ  ＢＳに復帰することを決定するためにＭＳが要する時間を低減することができる。より小さい復帰時間は、より小さいページングサイクル値を設定することに対応することができる。
【０１０６】
図１２は、インターＲＡＴハンドオーバ中にアイドルモードのためのページングサイクルを判断するためのグラフ図を提供する。各ページングサイクル１２０２は、ページングリスニング間隔１２０４とページング無効間隔１２０６とを備えることができる。ページングリスニング間隔１２０４中に、ＭＳは、ＢＳから送信されるＭＯＢ＿ＰＡＧ−ＡＤＶメッセージ１２０８を受信することが可能である。上述のように、（Ｍａｘ＿Ｒｅｔｕｒｎ＿Ｔｉｍｅ１２１０として示される）第２のＲＡＴネットワークへのインターＲＡＴハンドオーバ中に第１のＲＡＴネットワークに復帰するための最大時間は、ＭＳに知られているかまたは与えられている。さらに、ＭＳは、第１のＲＡＴ  ＢＳ（たとえば、ＷｉＭＡＸ  ＢＳ）のＭＯＢ＿ＰＡＧ−ＡＤＶメッセージ数、ならびに（Ｎｕｍ＿Ｐａｇｉｎｇ＿Ｒｅｔｒｉｅｓによって示される）新しいページングメッセージおよび再試行の最大数を認識することができる。ページングリスニング間隔長１２１４はＢＳページング間隔の長さに対応することができる。
【０１０７】
したがって、図１２によって示されるように、ＷｉＭＡＸ  ＢＳがインターＲＡＴハンドオーバ遷移期間中にＭＯＢ＿ＰＡＧ−ＡＤＶメッセージを送信することを回避するために、ＭＳは、少なくとも、保持されたＭＳ情報が削除される前に、ＢＳから送信された最後のページングメッセージ（すなわち、ＭＯＢ＿ＰＡＧ−ＡＤＶ  
＃Ｎｕｍ＿Ｐａｇｉｎｇ＿Ｒｅｔｒｉｅｓメッセージ１２１２）に応答することを決定し、それを行うことができる。したがって、Ｍａｘ＿Ｒｅｔｕｒｎ＿Ｔｉｍｅ１２１０が満了した後、第１のページングサイクルのページングリスニング間隔長１２１４中に、ＭＳがＭＯＢ＿ＰＡＧ−ＡＤＶ  
＃Ｎｕｍ＿Ｐａｇｉｎｇ＿Ｒｅｔｒｉｅｓメッセージ１２１２を受信する場合、ページングサイクル値を以下の式に従って計算することができる。
【０１０８】
Paging_Cycle ≧ Max_Return_Time/(Num_Paging_Retries-1)
ページングサイクルは、計算値よりも大きいかまたはそれに等しい任意の値に設定できる。
【０１０９】
ＭＳがインターＲＡＴハンドオーバを取り消すか、または何らかの理由によりＷｉＭＡＸ  ＢＳに復帰することを選択した場合、ＭＳはアイドルモードからＷｉＭＡＸネットワークへの迅速なネットワークリエントリを実行する。そのような迅速なリエントリを可能にするために、ＭＳは、ＷｉＭＡＸ  ＢＳによって保持された保持されたＭＳ情報を最初に受信し、復元し、次いで、この情報を使用して、通信リンクを迅速に容易に復旧して、サービスフローを復元することができる。
【０１１０】
図１３に、第２のＲＡＴネットワークへのインターＲＡＴハンドオーバを取り消し、保持されたＭＳ情報を復元することによって第１のＲＡＴネットワーク（たとえば、ＷｉＭＡＸネットワーク）に容易に迅速に復帰するための例示的な動作１３００のコールフローを示す。このようにして、インターＲＡＴハンドオーバがトリガされた後にＭＳとＷｉＭＡＸ  ＢＳとの間のリンクが切断されても、ＭＳは初期ネットワークエントリプロシージャを実行する必要なしにＷｉＭＡＸネットワークに円滑に復帰することができる。これらの動作１３００は、図１０に示す動作１０１４および１０１８〜１０２０に対応することができる。
【０１１１】
１３０２において、ＭＳは、ハンドオーバが完了する前にインターＲＡＴハンドオーバを取り消し、ＷｉＭＡＸ  ＢＳに復帰することを選択する。たとえば、ＭＳは、ＷｉＭＡＸ  ＢＳの信号品質の増加、または第２のＲＡＴ  ＢＳ１１０２の信号品質の低下により、ＷｉＭＡＸ  ＢＳとの通信に復帰することを決定することができる。
【０１１２】
ＷｉＭＡＸネットワークリエントリを開始するために、ＭＳは、ＯＦＤＭ／ＯＦＤＭＡフレーム中でＣＤＭＡレンジング符号１３０４を送信することができる。ＷｉＭＡＸ  ＢＳは、どのＭＳがＣＤＭＡレンジング符号を送信したかわからないので、ＢＳは、受信したレンジング符号、ならびにＣＤＭＡレンジング符号が識別されたレンジングスロット（ＯＦＤＭＡシンボル数、サブチャネル、フレーム番号など）を広告するレンジング応答（ＲＮＧ−ＲＳＰ）１３０６メッセージをブロードキャストすることができる。この情報を、ＣＤＭＡ符号を送信したＭＳが使用して、その特定のＭＳのレンジング要求に対応するＲＮＧ−ＲＳＰメッセージを識別する。ＷｉＭＡＸ  ＢＳが成功ステータスをもつＲＮＧ−ＲＳＰメッセージを送信することになるＣＤＭＡ符号を受信すると、ＢＳはアップリンクマップ（ＵＬ−ＭＡＰ）１３０８中のＣＤＭＡ割振り情報要素（ＣＤＭＡ＿Ａｌｌｏｃａｔｉｏｎ＿ＩＥ）を使用してＭＳへの帯域幅割振りを行う。ＭＳがＣＤＭＡ＿Ａｌｌｏｃａｔｉｏｎ＿ＩＥをもつＵＬ−ＭＡＰ１３０８を受信すると、ＭＳは、割振り情報要素（ＩＥ）に従って割り振られた帯域幅を使用してレンジング要求（ＲＮＧ−ＲＥＱ）メッセージ１３１０を送信する。
【０１１３】
ＷｉＭＡＸ  ＢＳは、第２のＲＮＧ−ＲＳＰメッセージ１３１２を送信することによって応答して、アイドルモードからのネットワークリエントリのためのレンジングプロシージャを完了することができる。ＲＮＧ−ＲＳＰメッセージ１３１２は、復元すべき保持されたＭＳサービスおよび動作情報、ならびにサービスフロー状態情報を示すことができる。この情報をＭＳに与えるために、ＲＮＧ−ＲＳＰメッセージ１３１２のＨＯプロセス最適化ＴＬＶ（Ｔｙｐｅ＝２１）を採用することができる。ＨＯプロセス最適化ＴＬＶは、加入者基本ケイパビリティ（ＳＢＣ）、秘密鍵管理（ＰＫＭ）および登録（ＲＥＧ）情報など、ＭＡＣ管理メッセージ情報を含むことができる。
【０１１４】
１３１４において、ＭＳおよびＷｉＭＡＸ  ＢＳは保持されたサービスおよび動作情報、ならびにサービスフロー状態情報を利用して、通信リンクを迅速に容易に復旧し、ＭＳとＷｉＭＡＸ  ＢＳとの間のサービスフローを復元する。次いで、ＭＳは、ＵＬ  ＭＰＤＵ（ＭＡＣパケットデータユニット）１３１６を送信し、ＤＬ  ＭＰＤＵ１３１８を受信することによってＷｉＭＡＸ  ＢＳとの通信を再開する。したがって、マルチモードＭＳは、円滑な迅速な方法で、完了前の任意の時間にインターＲＡＴハンドオーバを取り消し、ＷｉＭＡＸネットワークなど、第１のＲＡＴネットワークに復帰することができる。
【０１１５】
上述の方法の様々な動作は、図に示すミーンズプラスファンクションブロックに対応する様々な（１つまたは複数の）ハードウェアおよび／またはソフトウェア構成要素および／またはモジュールによって実行できる。概して、対応する相対ミーンズプラスファンクション図を有する図に方法が示されている場合、動作ブロックは、同様の番号付けをもつミーンズプラスファンクションブロックに対応する。たとえば、図５に示すブロック５００〜５４０は図５Ａに示すミーンズプラスファンクションブロック５００Ａ〜５４０Ａに対応し、図８に示すブロック８００〜８４０は図８Ａに示すミーンズプラスファンクションブロック８００Ａ〜８４０Ａに対応し、図１０に示すブロック１００２〜１０２０は図１０Ａに示すミーンズプラスファンクションブロック１００２Ａ〜１０２０Ａに対応する。
【０１１６】
本明細書で使用する「判断」という用語は、多種多様なアクションを包含する。たとえば、「判断」は、計算、算出、処理、導出、調査、探索（たとえば、テーブル、データベース、または別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【０１１７】
情報および信号は、様々な異なる技術および技法のうちのいずれかを使用して表すことができる。たとえば、上記の説明全体にわたって言及されるデータ、命令、コマンド、情報、信号などは、電圧、電流、電磁波、磁界または磁性粒子、光場または光粒子、あるいはそれらの任意の組合せによって表すことができる。
【０１１８】
本明細書に記載の技法は、直交多重化方式に基づく通信システムを含む様々な通信システムに使用できる。そのような通信システムの例には、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ぶこともできる。ＯＦＤＭでは、各サブキャリアはデータで独立して変調できる。ＳＣ−ＦＤＭＡシステムは、システム帯域幅にわたって分散されたサブキャリア上で送信するためのインタリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。一般に、変調シンボルは、ＯＦＤＭでは周波数領域で、ＳＣ−ＦＤＭＡでは時間領域で送信される。
【０１１９】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行できる。汎用プロセッサはマイクロプロセッサとすることができるが、代替形態では、プロセッサは、市販されているプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１２０】
本開示に関連して説明した方法またはアルゴリズムのステップは、直接ハードウェアか、プロセッサによって実行されるソフトウェアモジュールか、またはその２つの組合せで実施できる。ソフトウェアモジュールは、当技術分野で知られている任意の形式の記憶媒体中に常駐（たとえば、記憶、符号化など）することができる。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散できる。記憶媒体は、プロセッサがその記憶媒体から情報を読み取ることができ、その記憶媒体に情報を書き込むことができるように、プロセッサに結合できる。代替として、記憶媒体はプロセッサに一体化することができる。
【０１２１】
本明細書で開示する方法は、説明した方法を達成するための１つまたは複数のステップまたはアクションを備える。本方法のステップおよび／またはアクションは、特許請求の範囲の範囲から逸脱することなく互いに交換することができる。言い換えれば、ステップまたはアクションの特定の順序が指定されない限り、特定のステップおよび／またはアクションの順序および／または使用は特許請求の範囲から逸脱することなく変更できる。
【０１２２】
説明した機能は、ハードウェア、ソフトウェア、ファームウェア、またはそれらの組合せで実装できる。ソフトウェアで実装する場合、機能は、命令または命令の１つまたは複数のセットとしてコンピュータ可読媒体または記憶媒体上に記憶できる。記憶媒体は、コンピュータまたは１つまたは複数の処理デバイスによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または、命令もしくはデータ構造の形態の所望のプログラムコードを運搬または記憶するために使用でき、コンピュータによってアクセスできる任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。
【０１２３】
ソフトウェアまたは命令はまた、送信媒体を介して送信できる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【０１２４】
さらに、本明細書に記載の方法および技法を実行するためのモジュールおよび／または他の適切な手段は、適用可能な場合にユーザ端末および／または基地局によってダウンロードおよび／または他の方法で取得できることを諒解されたい。たとえば、そのようなデバイスは、本明細書に記載の方法を実行するための手段の転送を可能にするために、サーバに結合できる。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供できる。さらに、本明細書で説明する方法および技法をデバイスに与えるための任意の他の適切な技法を利用することができる。
【０１２５】
特許請求の範囲は、上記の正確な構成および構成要素に限定されないことを理解されたい。上記の方法および装置の構成、動作および詳細において、特許請求の範囲から逸脱することなく、様々な改変、変更および変形を行うことができる。
【図１】
2011520401.tif 000003
【図２】
2011520401.tif 000004
【図３】
2011520401.tif 000005
【図４Ａ】
2011520401.tif 000006
【図４Ｂ】
2011520401.tif 000007
【図５】
2011520401.tif 000008
【図５Ａ】
2011520401.tif 000009
【図６】
2011520401.tif 000010
【図７】
2011520401.tif 000011
【図８】
2011520401.tif 000012
【図８Ａ】
2011520401.tif 000013
【図９】
2011520401.tif 000014
【図１０】
2011520401.tif 000015
【図１０Ａ】
2011520401.tif 000016
【図１１】
2011520401.tif 000017
【図１２】
2011520401.tif 000018
【図１３】
2011520401.tif 000019
【国際調査報告】
2011520401.tif 000020
2011520401.tif 000021
2011520401.tif 000022